(57)【要約】  【課題】安価な構成で、確実に洗浄を行うことができるブラシロールを提供する。  【解決手段】筒状ロール（図示せず）の外周面に着脱自在に取り付けられるチャンネルブラシ１は、ブラシ片２と、帯状体３と、芯線８とを備え、帯状体３は、断面略コ字状であって、帯状体３を上面から視た場合に、長手方向の中心線に対して非対称となるように、長板状の両側面部が波状に屈曲されて凸部３ａと凹部３ｂとが長手方向に対して交互に連続して形成されると共に、凹部３ｂの最下点は、少なくとも帯状体３の上端部近傍から底部近傍に至る略Ｖ溝形状に形成され、ブラシ片２を上面から視た場合に、ブラシ片２の集合密度の高いブラシ片密集部２ｃが、チャンネルブラシ１の長手方向に飛び石状に連続して形成されると共に、ブラシ片密集部２ｃの周囲に、ブラシ片２の集合密度が低いブラシ片散在部２ｄが形成されている。【選択図】図１
2010234491.tif 000002
【特許請求の範囲】
【請求項１】
筒状ロールの外周面に、その軸方向と略並列状に、多数本の棒状のチャンネルブラシを着脱自在に取り付けたブラシロールにおいて、前記チャンネルブラシは、ブラシ片と、帯状体と、芯線とを備え、前記帯状体は、断面略コ字状であって、前記帯状体を上面から視た場合に、前記芯線が配設される長手方向の中心線に対して非対称となるように、長板状の両側面部が波状に屈曲されて凸部と凹部とが長手方向に対して交互に連続して形成されると共に、前記凹部の最下点は、少なくとも前記帯状体の上端部近傍から底部近傍に至る略Ｖ溝形状に形成され、前記ブラシ片を上面から視た場合に、前記ブラシ片の集合密度の高いブラシ片密集部が、前記チャンネルブラシの長手方向に飛び石状に連続して形成されると共に、前記ブラシ片密集部の周囲に、前記ブラシ片の集合密度が低いブラシ片散在部が形成されていることを特徴とするブラシロール。
【請求項２】
筒状ロールの外周面に、その軸方向と略並列状に、多数本の棒状のチャンネルブラシを着脱自在に取り付けたブラシロールにおいて、前記チャンネルブラシは、ブラシ片と、帯状体と、芯線とを備え、前記帯状体は、断面略コ字状であって、前記帯状体を上面から視た場合に、前記芯線が配設される長手方向の中心線に対して非対称となるように、長板状の一方の側面部は直線状で、他方の側面部は波状に屈曲されて凸部と凹部とが長手方向に対して交互に連続して形成されると共に、前記凹部の最下点は、少なくとも前記帯状体の上端部近傍から底部近傍に至る略Ｖ溝形状に形成され、前記ブラシ片を上面から視た場合に、前記ブラシ片の集合密度の高いブラシ片密集部が、前記チャンネルブラシの長手方向に飛び石状に連続して形成されると共に、前記ブラシ片密集部の周囲に、前記ブラシ片の集合密度が低いブラシ片散在部が形成されていることを特徴とするブラシロール。
【請求項３】
並列に配置された複数のチャンネルブラシの帯状体の直線状の側面同士を取り付け部材を介して一体的に連結させてブラシユニットとし、前記ブラシユニットを上面から視た場合に、長手方向に対して対称となるように形成したことを特徴とする請求項２に記載のブラシロール。
【請求項４】
チャンネルブラシの帯状体の側面部には、芯線の中央部より上方にカシメ部が形成されてあることを特徴とする請求項１〜３のいずれか１項に記載のブラシロール。
【請求項５】
帯状体の側面部に形成された凸部と凹部が交互に嵌り込むように、複数の前記帯状体を筒状ロールの外周に取り付けることを特徴とする請求項１〜４のいずれか１項に記載のブラシロール。
【請求項６】
並列に配置された複数のチャンネルブラシの帯状体同士を取り付け部材を介して一体的に連結させてブラシユニットとし、該ブラシユニットを筒状ロールの外周面に着脱自在に取り付けたことを特徴とする請求項１〜５のいずれか１項に記載のブラシロール。
【請求項７】
請求項１〜６のいずれか１項に記載の筒状ロールの外周面に取り付けられるブラシユニットであって、並列に配置された複数のチャンネルブラシの帯状体同士を、取り付け部材を介して一体的に連結させて構成したことを特徴とするブラシユニット。
【発明の詳細な説明】
【技術分野】
【０００１】
本発明は、筒状ロールの外周面の軸方向に、多数本のチャンネルブラシを着脱自在に取付けたブラシロール及びこのブラシロールに使用されるブラシユニットに関するものである。
【背景技術】
【０００２】
従来の、鋼板やアルミ板等の研磨仕上げに使用されるこの種のブラシロールとして、筒状ロールと、その筒状ロールの外周面の軸方向に着脱自在に設けられた多数本のチャンネルブラシとで構成され、それぞれのチャンネルブラシを、金属製で横断面形状が略コ字形をした直線状の長尺の帯状体をベース部材とし、芯線を押し付けてＵ字形に２つ折りした毛材を、前記帯状体の溝内の全長に亘って嵌め込んだ構造のものがある（例えば、特許文献１参照）。
【０００３】
また、他の従来のブラシロールとして、筒状ロールと、その筒状ロールの外周面に巻きつけられたチャンネルブラシで構成し、そのチャンネルブラシを、金属製の帯状体と、その帯状体に嵌め込まれた毛材で構成すると共に、毛材に巾の広い部分と狭い部分とを交互に形成したものがある（例えば、特許文献２参照）。
【０００４】
さらに、他の従来のブラシロールとして、筒状ロールと、その筒状ロールの外周面に巻きつけられたチャンネルブラシで構成し、そのチャンネルブラシを、金属製の帯状体と、その帯状体に嵌め込まれた毛材で構成すると共に、毛材の毛丈をカットした部分とカットしない部分とを交互に形成したものがある（例えば、特許文献３参照）。
【先行技術文献】
【特許文献】
【０００５】
【特許文献１】特開２０００−２４５５３１号公報
【特許文献２】実願昭６１−１５６４７１号（実開昭６３−６１９２６号）のマイクロフイルム
【特許文献３】実願昭６２−１０６２１２号（実開昭６４−１０２２７号）のマイクロフイルム
【発明の概要】
【発明が解決しようとする課題】
【０００６】
しかしながら、上記特許文献１に記載された従来のブラシロールでは、隣り合うチャンネルブラシ間に隙間が発生するので、被洗浄面に対して均一な力で洗浄を行うことが難しかった。また、上記特許文献２及び３に記載された従来のブラシロールの構成では、チャンネルブラシを筒状ロールに巻きつけるものであるため、毛材の先端部が広がり、金属製の帯状体も変形する。そのため、毛材の先端部での密度が低くなると共に、製造コストが高くなるという課題があった。特に、上記特許文献３に記載されたチャンネルブラシは、毛材をカットするのに手間がかかり、製造コストが更に高くなるといった課題があった。
【０００７】
本発明は、上記従来の課題に鑑み、毛材の密度を高く保ちつつ、被洗浄面に対して均一な力を加えながら確実に洗浄を行うことができると共に、製造コストを低減できるブラシロール及びブラシユニットを提供することを目的とする。
【課題を解決するための手段】
【０００８】
上記従来の課題を解決するために、本発明のブラシロールは、筒状ロールの外周面に、その軸方向と略並列状に、多数本の棒状のチャンネルブラシを着脱自在に取り付けたブラシロールにおいて、前記チャンネルブラシは、ブラシ片と、帯状体と、芯線とを備え、前記帯状体は、断面略コ字状であって、前記帯状体を上面から視た場合に、前記芯線が配設される長手方向の中心線に対して非対称となるように、長板状の両側面部が波状に屈曲されて凸部と凹部とが長手方向に対して交互に連続して形成されると共に、前記凹部の最下点は、少なくとも前記帯状体の上端部近傍から底部近傍に至る略Ｖ溝形状に形成され、前記ブラシ片を上面から視た場合に、前記ブラシ片の集合密度の高いブラシ片密集部が、前記チャンネルブラシの長手方向に飛び石状に連続して形成されると共に、前記ブラシ片密集部の周囲に、前記ブラシ片の集合密度が低いブラシ片散在部が形成されているもので、複数のチャンネルブラシを互いのチャンネルブラシの凸部と凹部とが接触するよう並列に配置させた場合に、毛材の密度を高く保ちつつ被洗浄面に対して均一な洗浄を行うことができる。また、凹部の最下点が帯状体の上端部近傍から底部近傍に至る略Ｖ溝形状となっている為、ブラシ片がチャンネルブラシの長手方向にずれる事が無く、ブラシ片を高い密度にてチャンネルブラシの長手方向の凹部と凹部との間に形成できる。さらにまた、ブラシロールは、チャンネルブラシにおける、両側面部を凸部にて囲まれた帯状体の領域内に形成されたブラシ片の毛腰が、両側面部を凹部にて囲まれた帯状体の領域内に形成されたブラシ片の毛腰よりも大である為、従来の一律のチャンネルブラシよりも、より密集度が大なブラシ片密集部を形成できると共に、被洗浄面から受けた応力を、ブラシ片散在部に分散させる事ができ、より洗浄力がアップする。さらに、洗浄時において、両側面部を凸部にて囲まれた帯状体の領域内に形成されたブラシ片は、被洗浄面からの応力を、両側面部を凹部にて囲まれたブラシ片が形成された帯状体の領域内に分散させる事ができる為、被洗浄面にブラシマークを発生させる事無く、均一かつ円滑な洗浄を行うことができる。
【０００９】
また、ブラシ片のブラシ片密集部が、長手方向に飛び石状に連続して形成されると共に、前記ブラシ片密集部の周囲に、ブラシ片散在部が形成されているので、洗浄時において、ブラシ片のブラシ片密集部が被洗浄面から受けた応力を、ブラシ片散在部に分散させる事ができ、被洗浄面にブラシマークを付ける事無く、均一かつ円滑な洗浄を行うことができる。
【００１０】
また、本発明のブラシロールは、筒状ロールの外周面に、その軸方向と略並列状に、多数本の棒状のチャンネルブラシを着脱自在に取り付けたブラシロールにおいて、前記チャンネルブラシは、ブラシ片と、帯状体と、芯線とを備え、前記帯状体は、断面略コ字状であって、前記帯状体を上面から視た場合に、前記芯線が配設される長手方向の中心線に対して非対称となるように、長板状の一方の側面部は直線状で、他方の側面部は波状に屈曲されて凸部と凹部とが長手方向に対して交互に連続して形成されると共に、前記凹部の最下点は、少なくとも前記帯状体の上端部近傍から底部近傍に至る略Ｖ溝形状に形成され、前記ブラシ片を上面から視た場合に、前記ブラシ片の集合密度の高いブラシ片密集部が、前記チャンネルブラシの長手方向に飛び石状に連続して形成されると共に、前記ブラシ片密集部の周囲に、前記ブラシ片の集合密度が低いブラシ片散在部が形成されているもので、複数のチャンネルブラシを互いのチャンネルブラシの凸部と凹部とが接触するよう並列に配置させた場合に、毛材の密度を高く保ちつつ被洗浄面に対して均一な洗浄を行うことができる。また、凹部の最下点が帯状体の上端部近傍から底部近傍に至る略Ｖ溝形状となっている為、ブラシ片がチャンネルブラシの長手方向にずれる事が無く、ブラシ片を高い密度にてチャンネルブラシの長手方向の凹部と凹部との間に形成できる。さらにまた、ブラシロールは、チャンネルブラシにおける、両側面部を凸部にて囲まれた帯状体の領域内に形成されたブラシ片の毛腰が、両側面部を凹部にて囲まれた帯状体の領域内に形成されたブラシ片の毛腰よりも大である為、従来の一律のチャンネルブラシよりも、より密集度が大なブラシ片密集部を形成できると共に、被洗浄面から受けた応力を、ブラシ片散在部に分散させる事ができ、より洗浄力がアップする。さらに、洗浄時において、両側面部を凸部にて囲まれた帯状体の領域内に形成されたブラシ片は、被洗浄面からの応力を、両側面部を凹部にて囲まれたブラシ片が形成された帯状体の領域内に分散させる事ができる為、被洗浄面にブラシマークを発生させる事無く、均一かつ円滑な洗浄を行うことができる。
【００１１】
また、ブラシ片のブラシ片密集部が、長手方向に飛び石状に連続して形成されると共に、前記ブラシ片密集部の周囲に、ブラシ片散在部が形成されているので、洗浄時において、ブラシ片のブラシ片密集部が被洗浄面から受けた応力を、ブラシ片散在部に分散させる事ができ、被洗浄面にブラシマークを付ける事無く、均一かつ円滑な洗浄を行うことができる。
【００１２】
また、本発明のブラシユニットは、並列に配置された複数のチャンネルブラシの帯状体同士を、取り付け部材を介して一体的に連結させて構成したもので、複数のチャンネルブラシの、筒状ロールの外周面への取り付け及び取り外しを容易に行うことができる。
【発明の効果】
【００１３】
本発明のブラシロールは、ブラシ片の密度を高くすることができ、被洗浄面にブラシマークを発生させる事無く、均一かつ円滑な洗浄を行うことができると共に、チャンネルブラシの製造が容易なことから、ブラシロールの製造コストを低減させることができる。また、チャンネルブラシを筒状ロールに巻きつけるものではないため、ブラシ部の先端部が広がることはなく、チャンネルブラシの帯状体も変形することはないことから、ブラシ片の密度が低くなることがない。
【図面の簡単な説明】
【００１４】
【図１】図１（ａ）は、本発明のブラシロールに使用するチャンネルブラシの斜視図、図１（ｂ）は、同チャンネルブラシの断面図である。（実施例１）
【図２】図２（ａ）〜（ｆ）は、同チャンネルブラシの他の例を示す断面図である。（実施例１）
【図３】図３は、ブラシロールに使用するチャンネルブラシの部分断面図である。（実施例２）
【図４】図４（ａ）は、ブラシロールに使用するチャンネルブラシの部分斜視図、図４（ｂ）は、同チャンネルブラシの断面図、図４（ｃ）、（ｄ）は、チャンネルブラシの他の例を示す断面図である。（実施例３）
【図５】図５（ａ）は、ブラシロールに使用するチャンネルブラシの部分斜視図、図５（ｂ）は、同チャンネルブラシの帯状体の部分平面図である。（実施例４）
【図６】図６（ａ）は、ブラシロールに使用するブラシユニットの平面図、図６（ｂ）は、ブラシロールに使用するブラシユニットの他の例を示す平面図である。（実施例５）
【図７】図７は、チャンネルブラシの製作方法を示す図である。（実施例５）
【図８】図８は、チャンネルブラシを用いて製造したブラシロールの端面図である。（実施例５）
【図９】図９は、同ブラシロールの縦断面図である。（実施例５）
【図１０】図１０は、同ブラシロールのブラシ片を拡大した図である。（実施例５）
【発明を実施するための形態】
【００１５】
第１の発明は、筒状ロールの外周面に、その軸方向と略並列状に、多数本の棒状のチャンネルブラシを着脱自在に取り付けたブラシロールにおいて、前記チャンネルブラシは、ブラシ片と、帯状体と、芯線とを備え、前記帯状体は、断面略コ字状であって、前記帯状体を上面から視た場合に、前記芯線が配設される長手方向の中心線に対して非対称となるように、長板状の両側面部が波状に屈曲されて凸部と凹部とが長手方向に対して交互に連続して形成されると共に、前記凹部の最下点は、少なくとも前記帯状体の上端部近傍から底部近傍に至る略Ｖ溝形状に形成され、前記ブラシ片を上面から視た場合に、前記ブラシ片の集合密度の高いブラシ片密集部が、前記チャンネルブラシの長手方向に飛び石状に連続して形成されると共に、前記ブラシ片密集部の周囲に、前記ブラシ片の集合密度が低いブラシ片散在部が形成されているもので、複数のチャンネルブラシを互いのチャンネルブラシの凸部と凹部とが接触するよう並列に配置させた場合に、毛材の密度を高く保ちつつ被洗浄面に対して均一な洗浄を行うことができる。また、凹部の最下点が帯状体の上端部近傍から底部近傍に至る略Ｖ溝形状となっている為、ブラシ片がチャンネルブラシの長手方向にずれる事が無く、ブラシ片を高い密度にてチャンネルブラシの長手方向の凹部と凹部との間に形成できる。さらにまた、ブラシロールは、チャンネルブラシにおける、両側面部を凸部にて囲まれた帯状体の領域内に形成されたブラシ片の毛腰が、両側面部を凹部にて囲まれた帯状体の領域内に形成されたブラシ片の毛腰よりも大である為、従来の一律のチャンネルブラシよりも、より密集度が大なブラシ片密集部を形成できると共に、被洗浄面から受けた応力を、ブラシ片散在部に分散させる事ができ、より洗浄力がアップする。さらに、洗浄時において、両側面部を凸部にて囲まれた帯状体の領域内に形成されたブラシ片は、被洗浄面からの応力を、両側面部を凹部にて囲まれたブラシ片が形成された帯状体の領域内に分散させる事ができる為、被洗浄面にブラシマークを発生させる事無く、均一かつ円滑な洗浄を行うことができる。
【００１６】
また、ブラシ片のブラシ片密集部が、長手方向に飛び石状に連続して形成されると共に、前記ブラシ片密集部の周囲に、ブラシ片散在部が形成されているので、洗浄時において、ブラシ片のブラシ片密集部が被洗浄面から受けた応力を、ブラシ片散在部に分散させる事ができ、被洗浄面にブラシマークを付ける事無く、均一かつ円滑な洗浄を行うことができる。
【００１７】
第２の発明は、筒状ロールの外周面に、その軸方向と略並列状に、多数本の棒状のチャンネルブラシを着脱自在に取り付けたブラシロールにおいて、前記チャンネルブラシは、ブラシ片と、帯状体と、芯線とを備え、前記帯状体は、断面略コ字状であって、前記帯状体を上面から視た場合に、前記芯線が配設される長手方向の中心線に対して非対称となるように、長板状の一方の側面部は直線状で、他方の側面部は波状に屈曲されて凸部と凹部とが長手方向に対して交互に連続して形成されると共に、前記凹部の最下点は、少なくとも前記帯状体の上端部近傍から底部近傍に至る略Ｖ溝形状に形成され、前記ブラシ片を上面から視た場合に、前記ブラシ片の集合密度の高いブラシ片密集部が、前記チャンネルブラシの長手方向に飛び石状に連続して形成されると共に、前記ブラシ片密集部の周囲に、前記ブラシ片の集合密度が低いブラシ片散在部が形成されているもので、複数のチャンネルブラシを互いのチャンネルブラシの凸部と凹部とが接触するよう並列に配置させた場合に、毛材の密度を高く保ちつつ被洗浄面に対して均一な洗浄を行うことができる。また、凹部の最下点が帯状体の上端部近傍から底部近傍に至る略Ｖ溝形状となっている為、ブラシ片がチャンネルブラシの長手方向にずれる事が無く、ブラシ片を高い密度にてチャンネルブラシの長手方向の凹部と凹部との間に形成できる。さらにまた、ブラシロールは、チャンネルブラシにおける、両側面部を凸部にて囲まれた帯状体の領域内に形成されたブラシ片の毛腰が、両側面部を凹部にて囲まれた帯状体の領域内に形成されたブラシ片の毛腰よりも大である為、従来の一律のチャンネルブラシよりも、より密集度が大なブラシ片密集部を形成できると共に、被洗浄面から受けた応力を、ブラシ片散在部に分散させる事ができ、より洗浄力がアップする。さらに、洗浄時において、両側面部を凸部にて囲まれた帯状体の領域内に形成されたブラシ片は、被洗浄面からの応力を、両側面部を凹部にて囲まれたブラシ片が形成された帯状体の領域内に分散させる事ができる為、被洗浄面にブラシマークを発生させる事無く、均一かつ円滑な洗浄を行うことができる。
【００１８】
また、ブラシ片のブラシ片密集部が、長手方向に飛び石状に連続して形成されると共に、前記ブラシ片密集部の周囲に、ブラシ片散在部が形成されているので、洗浄時において、ブラシ片のブラシ片密集部が被洗浄面から受けた応力を、ブラシ片散在部に分散させる事ができ、被洗浄面にブラシマークを付ける事無く、均一かつ円滑な洗浄を行うことができる。
【００１９】
第３の発明は、特に、第２の発明におけるブラシロールにおいて、並列に配置された複数のチャンネルブラシの帯状体の直線状の側面同士を取り付け部材を介して一体的に連結させてブラシユニットとし、前記ブラシユニットを上面から視た場合に、長手方向に対して対称となるように形成したもので、これにより、２つの帯状体の直線状の側面同士を挟んで、隣り合う２つのチャンネルブラシのブラシ片のブラシ片密集部が対向することになる。その結果ブラシユニットの全体に渡って、広い面積のブラシ片密集部が得られることになり、被洗浄面の塵埃の掻き出し力や洗浄力を更にアップさせることができる。
【００２０】
第４の発明は、特に、第１〜３のいずれか一つの発明のチャンネルブラシの帯状体の側面部には、芯線の中央部より上方にカシメ部が形成されたもので、ブラシ片を形成する毛材の折り曲げた部分に入れられた芯線がカシメ部より下方に位置するので、帯状体のカシメが確実になり、ブラシロールの回転時或いは、使用時に、ブラシ片が帯状体から抜けたりするのを確実に防止することができる。
【００２１】
第５の発明は、特に、第１〜４のいずれか一つの発明の帯状体の側面部に形成された凸部と凹部が交互に嵌り込むように、複数の前記帯状体を筒状ロールの外周に取り付けるもので、複数のチャンネルブラシを筒状ロールの外周に並列に配置したとき、ブラシロールの回転表面にブラシ片密集部が均一に配されるようになるので、被洗浄面を均一に洗浄することが出来る。
【００２２】
第６の発明は、特に、第１〜５のいずれか一つの発明のブラシロールにおいて、並列に配置された複数のチャンネルブラシの帯状体同士を取り付け部材を介して一体的に連結させてブラシユニットとし、該ブラシユニットを筒状ロールの外周面に着脱自在に取り付けたもので、複数のチャンネルブラシの、筒状ロールの外周面への取り付け及び取り外しを容易に行うことができる。
【００２３】
第７の発明は、請求項１〜６のいずれか１項に記載の筒状ロールの外周面に取り付けられるブラシユニットであって、並列に配置された複数のチャンネルブラシの帯状体同士を、取り付け部材を介して一体的に連結させて構成したもので、複数のチャンネルブラシの、筒状ロールの外周面への取り付け及び取り外しを容易に行うことができる。
【００２４】
以下、本発明の実施例について、図面を参照しながら説明する。尚、この実施例によって本発明が限定されるものではない。
【実施例１】
【００２５】
図１（ａ）は、本発明の実施例１におけるブラシロールに使用するチャンネルブラシの斜視図、図１（ｂ）は、同チャンネルブラシの断面図である。
【００２６】
図1において、本実施例におけるブラシロールのチャンネルブラシ１は、ブラシ片２と、帯状体３及び芯線８により形成されている。チャンネルブラシ１は、ブラシ片２を中央部から折り込んで、芯線８及び断面略コ字状で、両側面が波状に屈曲した帯状体３にて、挟み付けるようにして形成されている。本実施例では、帯状体３を上面から視た場合に、芯線８が配設される長手方向の中心線に対して非対称となるように、長板状の一方の側面部の波形状が他方の側面部の波形状より大きくなるように屈曲されて、凸部３ａと凹部３ｂとが長手方向において交互に連続して形成されている。
【００２７】
また、凸部３ａの最上点はＲ形状となっていると共に、凹部３ｂの最下点３ｃは、帯状体３の高さ方向の上端部から底部に至る略Ｖ溝形状となっている。ここで、凸部３ａと凹部３ｂを形成する面は、略平面にて形成されてある。
【００２８】
尚、凸部３ａ及び凹部３ｂは、図２（ａ）に示すように、角部を有するＶ字形状の形態も可能であり、凸部３ａ及び凹部３ｂを形成する面のほぼ全面が平面にて形成された形態も本発明に含まれる。
【００２９】
また、図２（ｂ）に示すように、帯状体３の一方の側面部の波形状の高さを他方の側面部の波形状の高さより大きくして、帯状体３の両側面部を非対称にしてもよい。
【００３０】
更には、図２（ｃ）に示すように、帯状体３の一方の側面部の波形状のピッチを他方の側面部の波形状のピッチより小さくして、帯状体３の両側面部を非対称にしてもよい。
【００３１】
また、図２（ｄ）に示すように、帯状体３の一方の側面部の凸部３ａを低く、かつフラットにして、帯状体３の両側面部を非対称にしてもよい。
【００３２】
また、本実施例では、ブラシ片２を上面から視た場合に、図１に示すように、ブラシ片２を構成する毛材の集合密度の高いブラシ片密集部２ｃが、チャンネルブラシ１の長手方向に沿って飛び石状に連続して形成されると共に、前記ブラシ片密集部２ｃの周囲には、毛材の集合密度が低いブラシ片散在部２ｄが形成されている。
【００３３】
本実施例におけるブラシロールのチャンネルブラシ１は、以上のように構成されているので、複数のチャンネルブラシ１を互いのチャンネルブラシ１の凸部３ａと凹部３ｂとが接触するよう並列に配置させた場合に、毛材の密度を高く保ちつつ被洗浄面に対して均一な洗浄を行うことができる。
【００３４】
また、凹部３ｂの最下点が帯状体３の上端部近傍から底部近傍に至る略Ｖ溝形状となっている為、ブラシ片２がチャンネルブラシ１の長手方向にずれる事が無く、ブラシ片２を高い密度にてチャンネルブラシ１の長手方向の凹部３ｂと凹部３ｂとの間に形成できる。さらにまた、ブラシロールは、チャンネルブラシ１における、両側面部を凸部３ａにて囲まれた帯状体３の領域内に形成されたブラシ片２の毛腰が、両側面部を凹部３ｂにて囲まれた帯状体３の領域内に形成されたブラシ片２の毛腰よりも大である為、従来の一律のチャンネルブラシ１よりも、より洗浄力がアップする。
【００３５】
また、洗浄時において、両側面部を凸部３ａにて囲まれた帯状体３の領域内に形成されたブラシ片２は、被洗浄面からの応力を、両側面部を凹部３ｂにて囲まれたブラシ片２が形成された帯状体３の領域内に分散させる事ができる為、被洗浄面にブラシマークを発生させる事無く、均一かつ円滑な洗浄を行うことができる。
【００３６】
また、ブラシ片２のブラシ片密集部２ｃが、長手方向に飛び石状に連続して形成されると共に、前記ブラシ片密集部２ｃの周囲に、ブラシ片散在部２ｄが形成されているので、洗浄時において、ブラシ片２のブラシ片密集部２ｃが被洗浄面から受けた応力を、ブラシ片散在部２ｄに分散させる事ができ、被洗浄面にブラシマークを付ける事無く、均一かつ円滑な洗浄を行うことができる。
【００３７】
また、本実施例では、帯状体３の両側面部を非対称にしているので、ブラシ片密集部２ｃの断面を広く確保でき、洗浄力の向上を図ることができる。
【００３８】
更に、図２（ｅ）に示すようにブラシ片２の断面形状が略卵形に、或いは、図２（ｆ）に示すようにブラシ片２の断面形状が矩形になるように、帯状体３の左右の凹部３ｂが当接するぐらいまで、帯状体３の両側面を絞り込むようにすれば、ブラシ片密集部２ｃの洗浄力を更に向上させることもできる。
【実施例２】
【００３９】
図３は、本発明の実施例２におけるブラシロールに使用するチャンネルブラシの部分断面図である。尚、上記実施例１におけるチャンネルブラシと同一部分には、同一符号を付してその説明を省略する。
【００４０】
本実施例におけるチャンネルブラシ１ａの帯状体３は、図３に示すように、上面から視た場合に、芯線８が配設される長手方向の中心線に対して非対称となるように、長板状の一方の側面部は直線状で、他方の側面部は波状に屈曲されて凸部３ａと凹部３ｂとが長手方向に対して交互に連続して形成されると共に、前記凹部３ｂの最下点は、少なくとも帯状体３の上端部近傍から底部近傍に至る略Ｖ溝形状に形成されている。
【００４１】
又、本実施例におけるチャンネルブラシ１ａのブラシ片２を上面から視た場合に、実施例１同様、ブラシ片２の毛材の集合密度の高いブラシ片密集部２ｃが、チャンネルブラシ１ａの長手方向に飛び石状に連続して形成されると共に、前記ブラシ片密集部２ｃの周囲に、ブラシ片２の毛材の集合密度が低いブラシ片散在部２ｄが形成されている。
【００４２】
以上のように、本実施例におけるブラシロールのチャンネルブラシ１ａにおいては、凹部３ｂの最下点が帯状体３の上端部近傍から底部近傍に至る略Ｖ溝形状となっている為、ブラシ片２がチャンネルブラシ１ａの長手方向にずれる事が無く、ブラシ片２を高い密度にてチャンネルブラシ１ａの長手方向の凹部３ｂと凹部３ｂとの間に形成できる。
【００４３】
また、帯状体３の一方の直線状の側面部と、他方の側面部の凸部３ａにて囲まれた帯状体３の領域内に形成されたブラシ片２の毛腰が、直線状の側面部と、他方の側面部の凹部３ｂにて囲まれた帯状体の領域内に形成されたブラシ片２の毛腰よりも大である為、従来の一律のチャンネルブラシよりも、より洗浄力がアップする。さらに、洗浄時において、直線状の側面部と、他方の側面部の凸部３ａにて囲まれた帯状体３の領域内に形成されたブラシ片２は、被洗浄面からの応力を、直線状の側面部と、他方の側面部の凹部３ｂにて囲まれたブラシ片２が形成された帯状体３の領域内に分散させる事ができる為、被洗浄面にブラシマークを発生させる事無く、均一かつ円滑な洗浄を行うことができる。
【００４４】
また、ブラシ片２のブラシ片密集部２ｃが、長手方向に飛び石状に連続して形成されると共に、前記ブラシ片密集部２ｃの周囲に、ブラシ片散在部２ｄが形成されているので、洗浄時において、ブラシ片２のブラシ片密集部２ｃが被洗浄面から受けた応力を、ブラシ片散在部２ｄに分散させる事ができ、被洗浄面にブラシマークを付ける事無く、均一かつ円滑な洗浄を行うことができる。
【実施例３】
【００４５】
図４（ａ）は、本発明の実施例３におけるブラシロールに使用するチャンネルブラシの部分斜視図、図４（ｂ）は、同チャンネルブラシの断面図である。尚、上記実施例におけるブラシロールに使用するチャンネルブラシと同一部分には、同一符号を付してその説明を省略する。
【００４６】
図４（ａ）、（ｂ）において、本実施例におけるチャンネルブラシ１ｂでは、帯状体３の両側面部の、芯線８の中央部より上方に位置する部分にカシメ部３ｄが形成されている。
【００４７】
本実施例におけるチャンネルブラシ１ｂは、以上のように構成されているので、ブラシ片２を形成する毛材の折り曲げた部分に入れられた芯線８がカシメ部３ｄより下方に位置するので、帯状体３のカシメが確実になり、ブラシロールの回転時或いは、使用時に、ブラシ片２が帯状体３から抜けたりするのを確実に防止することができる。
【００４８】
尚、図４（ｃ）や図４（ｄ）に示すチャンネルブラシ１ｃ、１ｄのように、カシメ部３ｅ、３ｆの位置を、芯線８の中央部より上方に位置させた上で、カシメ部３ｅ、３ｆの形状は様々なものがあり、適宜選択することができる。また、帯状体３の材質には、鋼板、ＳＵＳ板、アルミ板等が使用されてある。
【実施例４】
【００４９】
図５（ａ）は、本発明の実施例３におけるブラシロールに使用するチャンネルブラシの部分斜視図、図５（ｂ）は、同チャンネルブラシの帯状体の部分平面図である。尚、上記実施例におけるブラシロールに使用するチャンネルブラシと同一部分には、同一符号を付してその説明を省略する。
【００５０】
図５において、本実施例におけるチャンネルブラシ１ｅでは、帯状体３の両側面部に、複数の爪部４が形成されている。この爪部４は、内側に折り曲げられて、ブラシ片２の内部に入り込んでいる。また、本実施例では、爪部４の先端は、芯線８より上方に位置している。
【００５１】
本実施例は、上記構成により、爪部４により、芯線８が上方にずれるのを防止できると共に、ブラシ片２がチャンネルブラシ１ｅの長手方向にずれる事を確実に防止することができる。
【実施例５】
【００５２】
図６（ａ）は、本発明の実施例５におけるブラシロールに使用するブラシユニットの平面図である。尚、上記実施例におけるブラシロールに使用するチャンネルブラシと同一部分には、同一符号を付してその説明を省略する。
【００５３】
図６（ａ）において、本実施例におけるブラシロールに使用するブラシユニット５０は、両端に取り付け穴５ａが形成された取り付け部材５に、上記実施例（ただし実施例２は除く）で記載したチャンネルブラシ１（又は１ｂ〜１ｅ）を２本並列に、かつ２つの帯状体３の同一波形状の側面同士を対向させた上で両者を当接させて取り付けて構成されたものである。取り付け金具５へのチャンネルブラシ１（又は１ｂ〜１ｅ）の取り付け方法は、ネジ止め、引っ掛け方式又は、溶着など、作業性、生産性等を考慮して適宜決定すると良い。
【００５４】
また、本実施例では、チャンネルブラシ１（又は１ｂ〜１ｅ）の側面側において、各々の帯状体３の凸部３ａを形成する面の一部と凹部３ｂを形成する面の一部とが互いに接触するように配置されている。したがって、ブラシ片２の密度を高くすることができ、被洗浄面に対して均一な洗浄を行うことができる。
【００５５】
また、以上のように構成されたブラシユニット５０を、ブラシロールを形成する筒状ロール（図示せず）の外周に密接に配することにより、帯状体３の側面部に形成された凸部３ａと凹部３ｂが交互に嵌り込むように、複数の帯状体３が筒状ロールの外周に配されることになり、その結果、ブラシロールの回転表面にブラシ片密集部２ｃが均一に配されるようになり、被洗浄面を均一に洗浄することが出来る。
【００５６】
また、本実施例では、ブラシユニット５０を構成する各チャンネルブラシ１（又は１ｂ〜１ｅ）の帯状体３の両側面部が非対称になるように波形状に屈曲させるようにしているので、その波形状や、高さなどを変えて、ブラシ片２のブラシ片密集部２ｃの形状や広さが、被洗浄面の仕上がり具合に応じて最適になるように設定することは容易である。
【００５７】
図６（ｂ）は、両端に取り付け穴５ａが形成された取り付け部材５に、実施例２で記載したチャンネルブラシ１ａを２本並列に、かつ２つの帯状体３の直線状の側面同士を密着させて取り付けて、ブラシユニット５０ａを構成した例を示すものである。
【００５８】
ブラシユニット５０ａは、以上のように構成されているので、ブラシユニット５０ａを上面から視た場合に、長手方向に対して対称となり、２つの帯状体３の直線状の側面同士を挟んで、隣り合う２つのチャンネルブラシ１ａのブラシ片２のブラシ片密集部２ｃが対向することになる。これにより、ブラシユニット５０ａの全体に渡って、広い面積のブラシ片密集部２ｃが得られることになり、被洗浄面の塵埃の掻き出し力や洗浄力を更にアップさせることができる。
【００５９】
尚、上記実施例では、ブラシユニット５０、５０ａは、それぞれ２本のチャンネルブラシ１（又は１ａ〜１ｅ）を並列に配置して構成したが、３本又はそれ以上の複数のチャンネルブラシ１（又は１ａ〜１ｅ）を並列に配置する構成の形態も本発明に含まれる。
【００６０】
図７は、上記実施の形態で述べたチャンネルブラシ１（又は１ａ〜１ｅ）の製作方法を示す図である。
【００６１】
図７において、１９は、縦ロール、２０は、基台、２９は、一対の横ロールである。まず、断面が概コの字形状の長尺な帯状体３に対して、所定長さのブラシ片２を、その中央部が直交するように帯状体３の上部に設置し、縦ロール１９を使用して、芯線８と共に、ブラシ片２を挟み付けると共に、芯線８を帯状体３の概コの字形状の内部に押し込む。次に、帯状体３の両側に形成された横ロール２９を使用して、帯状体３を両側から加締める。その結果、中央部が、帯状体３と芯線８に挟み付けられて折り込まれたブラシ片２を有するチャンネルブラシ１（又は１ａ〜１ｅ）が形成される。
【００６２】
さらに、図示しない凹凸部形成装置によって、帯状体３に前述した凸部３ａと凹部３ｂとが形成され、図１〜５で示したチャンネルブラシ１（又は１ａ〜１ｅ）が製作されるのである。また、前記凹凸部形成装置を使用する事無く、横ロール２９にて凸部３ａと凹部３ｂとを形成する事も可能である。さらに、側面に予め凸部３ａと凹部３ｂとが形成された帯状体３を製作した後、芯線８にてブラシ片２を挟み付け、芯線８を帯状体３の内部に押し込み、横ロール２９にて帯状体３を両側から加締める形態により、図１〜５に示す形状のチャンネルブラシ１（又は１ａ〜１ｅ）を製作する事も可能である。
【００６３】
図８は、上記実施例で述べたチャンネルブラシ１（又は１ａ〜１ｅ）を用いて製造したブラシロールの端面図、図９は、同ブラシロールの縦断面図である。
【００６４】
本実施例におけるブラシロール１００は、外周面にブラシ片密集部２ｃ及びブラシ片散在部２ｄを有する複数のブラシユニット５０（又は５０ａ）が並列に、かつ密接状態で取り付けられた筒状ロール１０１と、筒状ロール１０１の両端に各々取付けられた端面盤１０３と、端面盤１０３の回転中心部に組みつけられた回転軸１０２から構成されている。
【００６５】
本実施例では、各ブラシユニット５０（又は５０ａ）は、回転軸１０２に対して約７度傾けた状態で、取り付け穴５ａを通してネジやボルト（図示せず）で、筒状ロール１０１の外周面に着脱自在に取り付けられるようになっている。
【００６６】
特に、本実施例では、二本又はそれ以上の本数のチャンネルブラシ１（又は１ａ〜１ｅ）からなるブラシユニット５０（又は５０ａ）を用いているので、筒状ロール１０１の外周面への多数本のチャンネルブラシの着脱は、作業能率を向上させることができる。
【００６７】
図１０は、上述したブラシロール１００のブラシ片２を拡大した図で、本実施例では、同図に示すように、個々のブラシ片２の先端部に、矢印で示すブラシロール１００の回転方向に対して、前部２ａが低く、後部２ｂが高くなるようにして傾斜面が形成されている。したがって、被洗浄面に対してブラシ片２の傾斜面が接触することになるので、接触面積が大きくなり、洗浄効果を増大させることができる。
【００６８】
尚、本発明の趣旨を逸脱しない範囲において、種々の実施形態をとることができることは言うまでもない。
【産業上の利用可能性】
【００６９】
本発明のブラシロールは、筒状ロールの外周面にチャンネルブラシを着脱自在に取付けたものであって、鋼板やアルミ板等の研磨仕上げ或いは樹脂板の表面仕上げに使用する。
【符号の説明】
【００７０】
１、１ａ〜１ｅ  チャンネルブラシ
２  ブラシ片
２ａ  前部
２ｂ  後部
２ｃ  ブラシ片密集部
２ｄ  ブラシ片散在部
３  帯状体
３ａ  凸部
３ｂ  凹部
３ｃ  最下点 
３ｄ、３ｅ、３ｆ  カシメ部
４  爪部
５  取り付け部材
５ａ  取り付け穴
８  芯線
１９  縦ロール
２０  基台
２９  横ロール
５０、５０ａ  ブラシユニット
１００  ブラシロール
１０１  筒状ロール
１０２  回転軸
１０３  端面盤
【図１】
2010234491.tif 000003
【図２】
2010234491.tif 000004
【図３】
2010234491.tif 000005
【図４】
2010234491.tif 000006
【図５】
2010234491.tif 000007
【図６】
2010234491.tif 000008
【図７】
2010234491.tif 000009
【図８】
2010234491.tif 000010
【図９】
2010234491.tif 000011
【図１０】
2010234491.tif 000012